(57)【要約】【課題】フード部とコネクタハウジングとの間の面圧の不均一により生じる防水不良や、クリープやクラックの発生を防止することができるコネクタ用ゴムブーツおよびコネクタを提供する。【解決手段】コネクタ用ゴムブーツ４０のフード部４２の内面には、フード部４２がハウジング１０に嵌合した際にハウジング１０の外面との間をシールするリップ部６３がフード部４２の周方向に沿って延びており、リップ部６３のうち、上下一対の対向壁部６１における大リップ部６４の突出寸法が左右一対の弧状壁部６２における小リップ部６５の突出寸法よりも大に設定されている。【選択図】図１１
2011086396.tif 000002
【特許請求の範囲】
【請求項１】
電線端末に取り付けられた端子金具が収容されるコネクタハウジングの前記電線の延出側に装着されて前記電線を保護するコネクタ用ゴムブーツであって、
前記コネクタハウジングの前記電線の延出側に嵌合するフード部を備え、
前記フード部は、対向配置された上下一対の対向壁部とこの上下一対の対向壁部よりも大きな曲率を有して対向配置された左右一対の弧状壁部とが環状に連なって構成されたものにおいて、
前記フード部の内面には、前記フード部が前記コネクタハウジングに嵌合した際に前記コネクタハウジングの外面との間をシールするリップ部が前記フード部の周方向に沿って延びており、
前記リップ部は、前記上下一対の対向壁部における突出寸法が前記左右一対の弧状壁部における突出寸法よりも大に設定されていることを特徴とするコネクタ用ゴムブーツ。
【請求項２】
電線端末に取り付けられた端子金具が収容されるコネクタハウジングの前記電線の延出側に装着されて前記電線を保護するコネクタ用ゴムブーツであって、
前記コネクタハウジングの前記電線の延出側に嵌合するフード部を備え、
前記フード部は、対向配置された上下一対の対向壁部とこの上下一対の対向壁部よりも大きな曲率を有して対向配置された左右一対の弧状壁部とが環状に連なって構成されたものにおいて、
前記フード部の内面には、前記フード部が前記コネクタハウジングに嵌合した際に前記コネクタハウジングの外面との間をシールするリップ部が前記フード部の周方向に沿って延びており、
前記リップ部は、前記左右一対の弧状壁部にて分断されていることを特徴とするコネクタ用ゴムブーツ。
【請求項３】
電線端末に取り付けられた端子金具と、前記端子金具が収容されるコネクタハウジングと、前記コネクタハウジングの前記電線の延出部分に装着されるゴム製のコネクタ用ゴムブーツと、前記コネクタ用ゴムブーツを前記コネクタハウジングに締め付けて固定するバンド部材と、からなるコネクタであって、
前記コネクタ用ゴムブーツは、
前記コネクタハウジングの前記電線の延出側に嵌合するフード部を備え、
前記フード部は、対向配置された上下一対の対向壁部とこの上下一対の対向壁部よりも大きな曲率を有して対向配置された左右一対の弧状壁部とが環状に連なって構成されたものにおいて、
前記フード部の内面には、前記フード部が前記コネクタハウジングに嵌合した際に前記コネクタハウジングの外面との間をシールするリップ部が前記フード部の周方向に沿って延びており、
前記リップ部は、前記上下一対の対向壁部における突出寸法が前記左右一対の弧状壁部における突出寸法よりも大に設定されていることを特徴とするコネクタ。
【請求項４】
電線端末に取り付けられた端子金具と、前記端子金具が収容されるコネクタハウジングと、前記コネクタハウジングの前記電線の延出部分に装着されるコネクタ用ゴムブーツと、前記コネクタ用ゴムブーツを前記コネクタハウジングに締め付けて固定するバンド部材と、からなるコネクタであって、
前記コネクタ用ゴムブーツは、
前記コネクタハウジングの前記電線の延出側に嵌合するフード部を備え、
前記フード部は、対向配置された上下一対の対向壁部とこの上下一対の対向壁部よりも大きな曲率を有して対向配置された左右一対の弧状壁部とが環状に連なって構成されたものにおいて、
前記フード部の内面には、前記フード部が前記コネクタハウジングに嵌合した際に前記コネクタハウジングの外面との間をシールするリップ部が前記フード部の周方向に沿って延びており、
前記リップ部は、前記左右一対の弧状壁部にて分断されていることを特徴とするコネクタ。
【発明の詳細な説明】
【技術分野】
【０００１】
本発明は、コネクタ用ゴムブーツ及びコネクタに関する。
【背景技術】
【０００２】
従来、電線の端末部に取り付けられた端子金具がコネクタハウジング内に収容されてなるコネクタが知られている。このものは、コネクタハウジングの電線の延出部分における防水及び電線の保護のために、当該コネクタハウジングの電線延出部分を包囲するようにゴムブーツが被せられている（下記、特許文献１参照）。
このゴムブーツは、コネクタハウジングの電線延出部分と嵌合するフード部を有し、フード部の内周面には、全周に亘って一様な高さで内側に突出するリップ部が設けられている。
【０００３】
そして、フード部をコネクタハウジングに嵌合させるとともに、フード部の外周をバンドで締め付けると、リップ部がコネクタハウジングの外面との間に押し潰されて密着し、フード部とコネクタハウジングとの境界部分から水分が浸入しないようになっている。
【先行技術文献】
【特許文献】
【０００４】
【特許文献１】特開２００６−３１３６９８号公報
【発明の概要】
【発明が解決しようとする課題】
【０００５】
ところで、自動車用のパワーケーブルは、一般に、三相、又は二相が用いられているため、コネクタハウジングの形状が長円形状や長方形状とされる。そのため、コネクタハウジングと嵌合するフード部の形状も長円形状や長方形状とされる。このようにフード部が上下方向（短径方向）に対向する壁部と左右方向（長径方向）に対向する壁部とで寸法が異なる形状である場合には、フード部のコネクタハウジングへの嵌合時やバンドによって締め付けた際の面圧に不均一が生じるおそれがある。具体的には、応力や、バンドによる締め付けにより、フード部の左右の壁部の面（面間の寸法が長径側の壁部）が強い力でコネクタハウジングに押し付けられるのに対して、フード部の上下の壁部の面（面間の寸法が短径側の壁部）がコネクタハウジングに押し付けられる力が弱くなり、コネクタハウジングとフード部の上下の壁部との間の防水不良や、上下の壁部の面（短径方向）の圧力を確保した場合に左右の壁部の面（長径方向）の圧力が強くなりすぎることにより当該左右の壁部にクリープやクラックが生じるおそれがある。
【０００６】
本発明は上記のような事情に基づいて完成されたものであって、フード部とコネクタハウジングとの間の面圧の不均一により生じる防水不良や、クリープやクラックの発生を防止することができるコネクタ用ゴムブーツ及びコネクタを提供することを目的とする。
【課題を解決するための手段】
【０００７】
本発明は、電線端末に取り付けられた端子金具が収容されるコネクタハウジングの前記電線の延出側に装着されて前記電線を保護するコネクタ用ゴムブーツであって、前記コネクタハウジングの前記電線の延出側に嵌合するフード部を備え、前記フード部は、対向配置された上下一対の対向壁部とこの上下一対の対向壁部よりも大きな曲率を有して対向配置された左右一対の弧状壁部とが環状に連なって構成されたものにおいて、前記フード部の内面には、前記フード部が前記コネクタハウジングに嵌合した際に前記コネクタハウジングの外面との間をシールするリップ部が前記フード部の周方向に沿って延びており、前記リップ部は、前記上下一対の対向壁部における突出寸法が前記左右一対の弧状壁部における突出寸法よりも大に設定されているところに特徴を有する（手段１）。
【０００８】
手段１の構成によれば、リップ部は、上下一対の対向壁部における突出寸法が左右一対の弧状壁部における突出寸法よりも大に設定されているため、フード部が嵌合した状態や、バンド部材によって締め付けた（バンド部材を用いる場合）際に上下一対の対向壁部と、左右一対の弧状壁部とにかかる面圧（圧力、応力等）を均一化することが可能になる。よって、フード部とコネクタハウジングとの間の面圧の不均一により生じる防水不良や、上下の対向壁部（短径方向）の力（面圧）を確保した場合に左右の弧状壁部（長径方向）の力（面圧）が強くなりすぎることによるクリープやクラックの発生を防止することができる。
【０００９】
本発明は、電線端末に取り付けられた端子金具が収容されるコネクタハウジングの前記電線の延出側に装着されて前記電線を保護するコネクタ用ゴムブーツであって、前記コネクタハウジングの前記電線の延出側に嵌合するフード部を備え、前記フード部は、対向配置された上下一対の対向壁部とこの上下一対の対向壁部よりも大きな曲率を有して対向配置された左右一対の弧状壁部とが環状に連なって構成されたものにおいて、前記フード部の内面には、前記フード部が前記コネクタハウジングに嵌合した際に前記コネクタハウジングの外面との間をシールするリップ部が前記フード部の周方向に沿って延びており、前記リップ部は、前記左右一対の弧状壁部にて分断されているところに特徴を有する（手段２）。
【００１０】
手段２の構成によれば、リップ部は、左右一対の弧状壁部にて分断されているため、フード部が嵌合した状態や、バンド部材によって締め付けた（バンド部材を用いる場合）際に上下一対の対向壁部と、左右一対の弧状壁部とにかかる面圧（圧力、応力等）を均一化することが可能になる。よって、フード部とコネクタハウジングとの間の面圧の不均一により生じる防水不良や、上下の対向壁部の面（短径方向）の面圧を確保した場合に左右の弧状壁部の面（長径方向）の面圧が強くなりすぎることによるクリープやクラックの発生を防止することができる。
【００１１】
本発明は、電線端末に取り付けられた端子金具と、前記端子金具が収容されるコネクタハウジングと、前記コネクタハウジングの前記電線の延出部分に装着されるゴム製のコネクタ用ゴムブーツと、前記コネクタ用ゴムブーツを前記コネクタハウジングに締め付けて固定するバンド部材と、からなるコネクタであって、前記コネクタ用ゴムブーツは、前記コネクタハウジングの前記電線の延出側に嵌合するフード部を備え、前記フード部は、対向配置された上下一対の対向壁部とこの上下一対の対向壁部よりも大きな曲率を有して対向配置された左右一対の弧状壁部とが環状に連なって構成されたものにおいて、前記フード部の内面には、前記フード部が前記コネクタハウジングに嵌合した際に前記コネクタハウジングの外面との間をシールするリップ部が前記フード部の周方向に沿って延びており、前記リップ部は、前記上下一対の対向壁部における突出寸法が前記左右一対の弧状壁部における突出寸法よりも大に設定されているところに特徴を有する（手段３）。
【００１２】
手段３の構成によれば、リップ部は、上下一対の対向壁部における突出寸法が左右一対の弧状壁部における突出寸法よりも大に設定されているため、フード部が嵌合した状態や、バンド部材によって締め付けた（バンド部材を用いる場合）際に上下一対の対向壁部と、左右一対の弧状壁部とにかかる面圧（圧力、応力等）を均一化することが可能になる。よって、フード部とコネクタハウジングとの間の面圧の不均一により生じる防水不良や、上下の対向壁部の面の（短径方向）の面圧を確保した場合に左右の弧状壁部の面（長径方向）の面圧が強くなりすぎることによるクリープやクラックの発生を防止することができる。
【００１３】
本発明は、電線端末に取り付けられた端子金具と、前記端子金具が収容されるコネクタハウジングと、前記コネクタハウジングの前記電線の延出部分に装着されるコネクタ用ゴムブーツと、前記コネクタ用ゴムブーツを前記コネクタハウジングに締め付けて固定するバンド部材と、からなるコネクタであって、前記コネクタ用ゴムブーツは、前記コネクタハウジングの前記電線の延出側に嵌合するフード部を備え、前記フード部は、対向配置された上下一対の対向壁部とこの上下一対の対向壁部よりも大きな曲率を有して対向配置された左右一対の弧状壁部とが環状に連なって構成されたものにおいて、前記フード部の内面には、前記フード部が前記コネクタハウジングに嵌合した際に前記コネクタハウジングの外面との間をシールするリップ部が前記フード部の周方向に沿って延びており、前記リップ部は、前記左右一対の弧状壁部にて分断されているところに特徴を有する（手段４）。
【００１４】
手段４の構成によれば、リップ部は、左右一対の弧状壁部にて分断されているため、フード部が嵌合した状態や、バンド部材によって締め付けた（バンド部材を用いる場合）際に上下一対の対向壁部の面と、左右一対の弧状壁部の面とにかかる面圧（圧力、応力等）を均一化することが可能になる。よって、フード部とコネクタハウジングとの間の面圧の不均一により生じる防水不良や、上下の対向壁部の面（短径方向）の面圧を確保した場合に左右の弧状壁部の面（長径方向）の面圧が強くなりすぎることによるクリープやクラックの発生を防止することができる。
【発明の効果】
【００１５】
本発明によれば、フード部とコネクタハウジングとの間の面圧の不均一により生じる防水不良や、クリープやクラックの発生を防止することができるコネクタ用ゴムブーツおよびコネクタを提供することができる。
【図面の簡単な説明】
【００１６】
【図１】実施形態１におけるシールドコネクタの側断面図
【図２】シールドコネクタの側面図
【図３】シールドコネクタの平断面図
【図４】ハウジングの背面図
【図５】ゴムブーツの斜視図
【図６】ゴムブーツの側断面図
【図７】ゴムブーツの正面図
【図８】バンド部材の斜視図
【図９】バンド部材の正面図
【図１０】ハウジングにゴムブーツが固定された状態を表す背面図
【図１１】リップ部を有する角筒部を拡大して表した図
【図１２】実施形態２におけるゴムブーツの斜視図
【図１３】ゴムブーツの正面図
【図１４】ゴムブーツの上面図
【図１５】ゴムブーツの左側面図
【図１６】ゴムブーツの右側面図
【発明を実施するための形態】
【００１７】
＜実施形態１＞
以下、本発明の実施形態１を図１〜図１１を参照して説明する。
実施形態１のシールドコネクタ１は、コネクタハウジング（以下「ハウジング１０」という）と、このハウジング１０内に収容される３つの端子金具２０と、各端子金具２０の後端部に固着されたノンシールドタイプの電線２１と、この電線２１を一括シールドする可撓性シールド部材３０と、この可撓性シールド部材３０を保護するゴムブーツ４０（本発明の「コネクタ用ゴムブーツ」の一例）とを備えている。以下の説明において、上下方向については、図１を基準とし、前後方向については、図１の左方を前方とし、右方を後方として説明する。
【００１８】
ハウジング１０は合成樹脂製であって、図３に示すように、端子金具２０を収容するための端子収容部１１と、相手側のコネクタと嵌合する筒状包囲部１２とを一体形成してなるものである。
端子収容部１１は全体として横長の形状であって、この端子収容部１１内には端子金具２０を収容可能な３つのキャビティ１３が幅方向に並列されている。各キャビティ１３内には前方へ片持ち状に延出するランス１３Ａ（図１参照）が一体に形成されている。
【００１９】
端子収容部１１と筒状包囲部１２とは、図１に示すように、筒状包囲部１２の後端位置と端子収容部１１における後端より前方位置とにおいて複数の連結部１４によって連結され、端子収容部１１の後端部が筒状包囲部１２の後端位置よりも後方に突出した形態とされている。連結部１４は、端子収容部１１の外周と筒状包囲部１２の内周とを連結する形態とされ、周方向に所定の間隔を空けて配されている。端子収容部１１と筒状包囲部１２との間の空間は前方へ開放された取付空間１５とされており、この取付空間１５内には、後方からシールドシェル２４が取り付けられるとともに、前方から相手側コネクタ（図示せず）が嵌入されるようになっている。
【００２０】
端子収容部１１の外周面において連結部１４より前方位置には、取付空間１５に臨むようにしてシールリング１６が装着されている。そして、シールリング１６の前方には前ホルダ１６Ａが装着され、シールリング１６の前方への離脱が規制されている。
端子収容部１１の後端部には、後述するゴムブーツ４０のフード部４２が取り付けられるようになっている。
なお、図３に示すように、ハウジング１０にはレバー１８が取り付けられており、このレバー１８は、上下一対の板状をなすアーム部１８Ａを操作部１８Ｂで連結した形態とされ、支持軸部１９（図１参照）を中心として回動可能とされている。
【００２１】
端子金具２０は、所定形状の金属板材を曲げ加工したものであり、全体として前後方向に細長い形態とされ、いわゆる雌形状をなしている。各端子金具２０は、各キャビティ１３内に挿入されてランス１３Ａ（図１参照）の係止により抜止め状態に保持されている。各端子金具２０の後端部はオープンバレル状の圧着部２２とされており、この圧着部２２に圧着された電線２１は、ハウジング１０から後方へ導出されている。
【００２２】
電線２１は、アルミニウム合金製の単芯線や銅製の撚り線等からなる導体の外周を合成樹脂製の絶縁被覆で包囲した周知の形態のものであって、導体および絶縁被覆がいずれも可撓性を備えており、曲げ変形可能とされている。ハウジング１０から後方へ導出された３本の電線２１は、一纏めに束ねられたワイヤーハーネスとして配索されている。この電線２１におけるキャビティ１３の後端寄り位置に対応する位置にはゴム栓２３が装着され、キャビティ１３内への水の侵入が防止されている。また、ゴム栓２３の後方には後ホルダ２３Ａが装着され、ゴム栓２３の後方への離脱が規制されている。
【００２３】
取付空間１５内に取り付けられているシールドシェル２４は、金属板材に曲げ加工もしくは深絞り加工を施すことで筒状に成形されたものであり、筒状包囲部１２の内周側に内嵌可能な横長の略方形断面をなしている。
シールドシェル２４の略前半部分においてハウジング１０の連結部１４に対応する部分には、前端縁から後方へ略方形に切り欠かれた切欠部（図示せず）が形成されている。シールドシェル２４は、連結部１４にこの切欠部を対向させるようにして、端子収容部１１と筒状包囲部１２との間の隙間部１５Ａに対し後方から嵌入され、図示しない係止手段により、ハウジング１０に対して相対移動を規制された状態に固定されている（図３参照）。そして、ハウジング１０内に収容された端子金具２０と電線２１の前端部は、このシールドシェル２４によって一括シールドされている。
【００２４】
シールドシェル２４の略後半部分は、全周にわたって連続する接続部２６とされている。接続部２６は筒状包囲部１２から後方へ突出されており、この接続部２６には可撓性シールド部材３０が接続されている。なお、接続部２６の内周には補強筒２７が嵌合されており、この補強筒２７によって、接続部２６が縮径方向に変形しないように補強されている。
【００２５】
可撓性シールド部材３０は、金属製（例えば、銅合金製）の素線を網目状に編んだ編組線からなる筒状のものであり、自在に曲げ変形可能とされている。この可撓性シールド部材３０は、ハウジング１０から後方へ導出された３本の電線２１を一括して包囲することによりシールドするものである。可撓性シールド部材３０の前端部は、シールドシェル２４の接続部２６に被せられ、この部分の外周側にはカシメリング３１が外嵌されている。
【００２６】
カシメリング３１は金属製の筒状をなし、縮径変形可能とされている。カシメリング３１の前端縁における上側縁および下側縁には、それぞれ上側縁および下側縁から上方および下方へ突出する板状の係止片３２が形成されている。この一対の係止片３２は、それぞれカシメリング３１の軸線方向に対し略直角をなして一体的に形成されている。このカシメリング３１によって、可撓性シールド部材３０の前端部はシールドシェル２４の接続部２６に対してカシメ付けられ、導通可能に接続されている。
【００２７】
ハウジング１０の後部には、可撓性シールド部材３０を包囲することで、電線保護機能と防水機能とを発揮するゴムブーツ４０が装着されている。
【００２８】
ゴムブーツ４０は、図５に示すように、筒状をなし、前方側が拡径されて開口するフード部４２と、フード部４２の後方に連なり電線２１および可撓性シールド部材３０を包囲するハーネス包囲部６７と、後端部に設けられる円筒状の終端包囲部６８とからなる。
【００２９】
フード部４２は、ハウジング１０の端子収容部１１に後方から外嵌する（ハウジング１０の電線の延出側に嵌合する）角筒状の角筒部６０と、角筒部６０の後方に連なりハーネス包囲部６７に向けて筒状に縮径する縮径部６６とからなる。
【００３０】
角筒部６０は、図７に示すように、対向配置された上下一対の対向壁部６１と、対向配置された左右一対の弧状壁部６２とが環状に連なって構成されており、弧状壁部６２の外周の長さ（上下方向の長さ）は、対向壁部６１の外周の長さ（左右方向の長さ）よりも短くなっている。
【００３１】
対向壁部６１は、平坦な外面を有する板状をなす。なお、対向壁部６１の内面は幅方向の中間部がわずかに盛り上がる肉厚部４７とされている。
弧状壁部６２は、外方側に膨らむ曲面状をなす。これにより、弧状壁部６２は、対向壁部６１よりも大きな曲率を有している。
【００３２】
角筒部６０の内面には、角筒部６０の内周（周方向）に沿って延びるリップ部６３が形成されている。
リップ部６３は、フード部４２がハウジング１０の後部に嵌合（外嵌）した際にハウジング１０の外面との間をシールするものであり、対向壁部６１の内面側に設けられる大リップ部６４と、弧状壁部６２の内面側に設けられる小リップ部６５とからなる。
【００３３】
小リップ部６５は、大リップ部６４よりも突出寸法が小さくなっている（リップ部６３の上下一対の対向壁部６１における突出寸法が左右一対の弧状壁部６２における突出寸法よりも大に設定されている）。本実施形態では、小リップ部６５の突出寸法は、大リップ部６４の突出寸法の概ね半分になっている。この小リップ部６５の高さは、ハウジング１０との間のシール状態を維持しつつ、フード部４２の嵌合時やバンド部材による締め付けの際に、弧状壁部６２にかかる力によりクリープやクラックが生じない突出寸法が、対向壁部６１の外周の長さ（左右方向の長さ）と、弧状壁部６２の外周の長さ（上下方向の長さ）との関係で設定される。
【００３４】
縮径部６６は、図５に示すように、角筒部６０の後端とハーネス包囲部６７の前端とを連結するように、後方ほど径（幅寸法及びわずかに上下方向の寸法）が小さくなるように構成されている。
ハーネス包囲部６７は、円筒形の蛇腹状とされ、電線２１および可撓性シールド部材３０を内部に収容した状態で、電線２１の配索経路に沿って柔軟に変形し得るようになっている。
終端包囲部６８は、この後方にて電線２１および可撓性シールド部材３０を保護するコルゲートチューブ（図示せず）の前端部が嵌められるようになっている。
【００３５】
フード部４２における上面および下面には、それぞれ上方および下方に突設された突設部４３が設けられている。この突設部４３は、フード部４２における軸線方向ほぼ中間部に配されている。この突設部４３には、図６に示すように、それぞれ内周面から上方および下方へ向かって切り込まれたスリット状の係止溝４４が形成されており、この係止溝４４にカシメリング３１の係止片３２が嵌合されるようになっている。これにより、ゴムブーツ４０はカシメリング３１、シールドシェル２４およびハウジング１０に対して前後方向への相対移動を規制されている（図１を併せて参照）。
【００３６】
ゴムブーツ４０の前端部、言い換えると、フード部４２において筒状包囲部１２の後端部に対応する外周部分には、バンド装着凹部４５が凹設されている。バンド装着凹部４５は、全周にわたって連続した溝状をなしている。このバンド装着凹部４５には、バンド部材５０が外嵌され、このバンド部材５０の締め付け力により、ゴムブーツ４０は筒状包囲部１２に対し固定されるようになっている。
【００３７】
このゴムブーツ４０の前端部においてバンド部材５０と筒状包囲部１２の外周面との間で挟み付けられている被挟圧部４６には、図７に示すように、他の部分に比べ径方向内側に増厚された肉厚部４７が形成されている。
【００３８】
ゴムブーツ４０を締め付けているバンド部材５０は合成樹脂製であって、細長いバンド状をなしている。図８に示すように、バンド部材５０は、端部同士が接続されると、ゴムブーツ４０のバンド装着凹部４５に外嵌可能な断面略長方形をなす。
【００３９】
バンド部材５０の一方の端部には、外周面から外方へ突出する形態の係止突起５１が形成され、また他方の端部の外周面には、係止突起５１の設けられている側の端部を外周面に沿って周方向に挿通可能な門形状の受け部５２が形成されている。そして、受け部５２を貫通した係止突起５１は、受け部５２に対し係止するようになっている（図９参照）。
【００４０】
ゴムブーツ４０のバンド装着凹部４５に外嵌されたバンド部材５０は、図１０に示すように、係止突起５１を受け部５２に貫通させつつ縮径するように締め付けられ、受け部５２を貫通した係止突起５１と受け部５２との係止により取付け状態にロックされている。こうして、ゴムブーツ４０はバンド装着凹部４５位置において、バンド部材５０の締め付けにより、バンド部材５０と筒状包囲部１２との間で挟み付けられ、後方への引張力が作用しても位置ずれしないようにされている。
このとき、バンド部材５０による締め付け力は、フード部４２が幅方向に長い角筒状であるために、上下一対の対向壁部６１よりも壁部間の寸法の長い左右一対の弧状壁部６２に強く生じる。しかし、リップ部６３の突出寸法が対向壁部６１の大リップ部６４よりも弧状壁部６２の小リップ部６５が小さく設定されているため、弧状壁部６２に生じる力を逃がすことができ、弧状壁部６２にクリープやクラックが生じない。
なお、係止突起５１を受け部５２から外すだけでバンド部材５０をゴムブーツ４０から外すことができるので、ゴムブーツ４０を可撓性シールド部材３０から外してメンテナンス作業を行うことが容易である。
【００４１】
以上説明したように本実施形態によれば、リップ部６３は、上下一対の対向壁部６１における突出寸法が左右一対の弧状壁部６２における突出寸法よりも大に設定されているため、フード部４２がハウジング１０に嵌合した状態や、バンド部材５０で締め付けた（バンド部材５０を用いる場合）際に上下一対の対向壁部６１の面と、左右一対の弧状壁部６２の面とにかかる面圧（圧力、応力等）を均一化することが可能になる。よって、フード部４２とハウジング１０との間の面圧の不均一により生じる防水不良や、上下の対向壁部（短径方向）の面圧を確保した場合に左右の弧状壁部（長径方向）の圧力が強くなりすぎることによるクリープやクラックの発生を防止することができる。
【００４２】
＜実施形態２＞
次に、本発明の実施形態２を図１２〜図１６を参照して説明する。
実施形態１では、フード部４２の内面に大リップ部６４よりも突出寸法の小さい小リップ部６５を設ける構成としたが、実施形態２では、フード部４２の内面にリップ部６３を設けない非リップ部６３を有する構成としたものである。以下、実施形態１と同一の構成については、同一の符号を付して説明を省略する。
【００４３】
フード部４２は、ハウジング１０の電線２１の延出側に嵌合する部分であって、長円形の長円部７０と、長円部７０の後方に連なりハーネス包囲部６７に向けて筒状に縮径する縮径部６６とからなる。
【００４４】
長円部７０は、対向配置された上下一対の対向壁部７１と、対向配置された左右一対の弧状壁部７２とが環状に連なって構成されている。
対向壁部７１は、実施形態１の平坦な対向壁部６１と異なり、図１３に示すように、外方側にやや湾曲した外面を有する曲面状をなす。
【００４５】
弧状壁部７２は、外方側に膨らむ曲面状をなす。この弧状壁部６２は、対向壁部６１よりも大きな曲率で湾曲している。また、弧状壁部７２の外周の長さ（上下方向の長さ）は、対向壁部７１の外周の長さ（左右方向の長さ）よりも短くなっている。
【００４６】
長円部７０の内面には、長円部７０の内周（周方向）に沿って延びるリップ部７３が形成されている。
リップ部７３は、フード部４２がハウジング１０に嵌合した際にハウジング１０の外面との間をシールするものであり、対向壁部６１の内面側のみに設けられており、弧状壁部７２の内面側は、リップ部７３を有さない（リップ部が突出しない）非リップ部７４とされている。
これにより、長円部７０の内面に形成されるリップ部７３は、左右一対の弧状壁部７２の部分にて分断された形状となっている。
ハーネス包囲部７７は、実施形態１における蛇腹状のハーネス包囲部６７と異なり、図１２に示すように、滑らかな外周を有する円筒形状をなしている。
【００４７】
このように、実施形態２によれば、リップ部６３は、左右一対の弧状壁部６２にて分断されているため、フード部４２が嵌合した状態や、バンド部材５０によって締め付けた（バンド部材５０を用いる場合）際に上下一対の対向壁部７１と、左右一対の弧状壁部６２とにかかる面圧（圧力、応力等）を均一化することが可能になる。よって、フード部４２とハウジング１０との間の面圧の不均一により生じる防水不良や、上下の対向壁部７（短径方向）の面圧を確保した場合に左右の弧状壁部６２（長径方向）の面圧が強くなりすぎることによるクリープやクラックの発生を防止することができる。
【００４８】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）実施形態１では、リップ部６３の突出寸法は、対向壁部６１から弧状壁部６２に傾斜状に低くなる構成であったが、これに限らず、対向壁部６１から弧状壁部６２に段差状に低くなる構成でもよい。
【符号の説明】
【００４９】
１…シールドコネクタ
１０…ハウジング（コネクタハウジング）
２１…電線
３０…可撓性シールド部材
４０…ゴムブーツ（コネクタ用ゴムブーツ）
６３…リップ部
５０…バンド部材
４２…フード部
６０…角筒部
６１，７１…対向壁部
６２，７２…弧状壁部
６３，７３…リップ部
６４…大リップ部
６５…小リップ部
６６…縮径部
６７，７７…ハーネス包囲部
７０…長円部
７４…非リップ部
【図１】
2011086396.tif 000003
【図２】
2011086396.tif 000004
【図３】
2011086396.tif 000005
【図４】
2011086396.tif 000006
【図５】
2011086396.tif 000007
【図６】
2011086396.tif 000008
【図７】
2011086396.tif 000009
【図８】
2011086396.tif 000010
【図９】
2011086396.tif 000011
【図１０】
2011086396.tif 000012
【図１１】
2011086396.tif 000013
【図１２】
2011086396.tif 000014
【図１３】
2011086396.tif 000015
【図１４】
2011086396.tif 000016
【図１５】
2011086396.tif 000017
【図１６】
2011086396.tif 000018